(57)【要約】【課題】簡素な構造で製造コストの低減を図ることのできるシャッタ装置を提供する。【解決手段】左右の連結体案内路に上端開口部から侵入して夫々上下方向に摺動可能に案内支持される左右のリンク連結体と、対をなす左右のリンク部材に左右両側の連結軸と同軸の水平回動中心回りに回動可能に支持され開放姿勢と閉鎖姿勢との間で回動する複数のスラットと、スラットに設けられ、スラットを水平回動中心回りに回動可能に支持する左右のリンク部材の少なくとも一方のリンク部材に向かって突出し、スラットが開放姿勢となるとき、スラット開壁の外側表面に当接し、スラットが閉鎖姿勢となるとき、左右の連結体案内路の少なくとも一方に案内される突起部と、上端開口部の上方に隣接して設けられ、左右のリンク連結体および複数のスラットを巻き取る巻取体とを備えている。【選択図】  図７
2018031246.tif 000002
【特許請求の範囲】
【請求項１】
建物に形成された開口部の左右の両側縁に上下方向に延在して設けられた左右の連結体案内路と、
前記開口部の左右の両側縁の少なくとも一方の側縁に前記連結体案内路と平行に前記建物の外側に設けられたスラット開壁と、
左右対称に配置された左右のリンク部材が複数対設けられ、左右夫々の複数の前記リンク部材が、同軸の左右の連結軸で夫々連結され、前記左右の連結体案内路に上端開口部から侵入して夫々上下方向に摺動可能に案内支持される左右のリンク連結体と、
対をなす左右の前記リンク部材に左右の前記連結軸と同軸の水平回動中心の回りに回動可能に支持され、前記開口部を開放する開放姿勢と、上方のスラットの下端縁が下方のスラットの上端部より下方部分に外側から当接して前記開口部を閉鎖する閉鎖姿勢と、の間で回動する複数のスラットと、
前記スラットに設けられ、前記スラットを前記水平回動中心の回りに回動可能に支持する左右の前記リンク部材の少なくとも一方の前記リンク部材に向かって突出し、前記スラットが前記開放姿勢となるとき、前記スラット開壁の外側表面に当接し、前記スラットが前記閉鎖姿勢となるとき、前記左右の連結体案内路の少なくとも一方に案内される突起部と、
前記上端開口部の上方に隣接して設けられ、前記左右のリンク連結体および前記複数のスラットを巻き取る巻取体と、
を備えたシャッタ装置。
【請求項２】
前記スラットを回動可能に支持し、前記開口部を常に閉鎖する前記閉鎖姿勢にある常閉スラットをさらに備え、
少なくとも一対の前記対をなす左右のリンク部材が互いに前記常閉スラットを介して一体的に連結される請求項１に記載のシャッタ装置。
【請求項３】
前記少なくとも一方のリンク部材は、前記突起部が収納される収納凹溝が設けられ、前記リンク部材と前記突起部が突設された前記スラットとが同一面に位置可能に構成されている請求項１または２に記載のシャッタ装置。
【発明の詳細な説明】
【技術分野】
【０００１】
本発明は、建物の開口部に設けられ、スラット間が開口した通気状態と、スラット間の開口が閉じた閉鎖状態とを切替え可能なシャッタ装置に関する。
【背景技術】
【０００２】
建物の開口部に設けられ、開口部を閉鎖するシャッタ装置として、特許文献１に示されているものが知られている。特許文献１のシャッタ装置は、水平方向に延在し、上下方向に並設された複数の長板状のスラットを備えている。各スラットの両端には、各スラットの上下方向の幅と同様な長さのリンク部材が取り付けられており、上下に隣接するリンク部材を連結することで、複数のスラットが上下方向に並設される。各スラットは、両端に取り付けられたリンク部材に回動可能に軸支されており、夫々が独立して回動可能になっている。
【０００３】
特許文献２のシャッタ装置は、第一特許文献と同様に各スラットの両端には、スラットが回動可能に軸支されるリンク部材が設けられている。また、各スラットの両端には、回動中心から下方にずれた位置に、回動中心と平行に突出する被案内ピンが設けられている。シャッタ装置が設けられる建物の開口部の両側縁には、上下方向に延在する主案内通路と主案内通路に平行に設けられた副案内通路とが設けられている。スラットが巻取り体より引き出される際に、スラットの回動中心を備えたリンク部材が、主案内通路に導入され主案内通路を摺動し、被案内ピンが副案内通路に導入され副案内通路を摺動する。このように、スラットの回動中心と被案内ピンを平行に配置された二つの案内通路に導入することで、各スラットを回動して開放姿勢とし、各スラット間に開口を生じさせる通気可能状態とする。
【０００４】
そして、特許文献１および特許文献２のシャッタ装置は、上下に隣接するリンク部材の連結軸が嵌合する穴を上下方向に延在する長穴とし、リンク部材で構成されるリンク連結体が、延びた状態と縮んだ状態を生じさせる。そして、リンク連結体が延びた状態のときに、隣接するスラット間に間隙を形成し、各スラットを回動可能とし開放姿勢を取ることができるようにしている。リンク連結体が縮んだ状態のときには、上下方向に隣接するスラットの上下端同士を嵌合させて、各スラットが回動するのを規制する閉鎖姿勢としてスラット全体の剛性を高め、シャッタの防犯性を向上させている。
【先行技術文献】
【特許文献】
【０００５】
【特許文献１】特開２００９−４６９０６号公報
【特許文献２】特開２００８−８０３８号公報
【発明の概要】
【発明が解決しようとする課題】
【０００６】
しかしながら、特許文献１および特許文献２のシャッタ装置は、各スラットを通気状態とするため回動可能とさせるためには、隣接して配置された各スラットの間隔を、回動するスラットが回動可能となるように構成する必要がある。そのため、隣接して配置された各スラットの間隔を伸長するため、各スラットを支持するリンク連結体を延びた状態とする。また、各スラットを閉鎖状態とするためには、隣接して配置された各スラットの間隔を狭め、隣接するスラットの上下端同士が嵌合するよう、各スラットを支持するリンク連結体を縮んだ状態とする。このように、延びた状態および縮んだ状態という二つの態様を生じさせるため、リンク連結体を構成するリンク部材は、複雑な形状構造であることを必要とした。また、各スラットも、閉鎖状態の際に、上下に隣接するスラットの上下端同士が嵌合可能とするため複雑な構造としなければならなかった。
そのため、さらに簡素な構造で、製造コストの低減を図ることのできるシャッタ装置の要請があった。
【０００７】
本発明は、上述した問題を解消するためになされたもので、開放姿勢と閉鎖姿勢との間で開口部を開閉可能であり、簡素な構造で製造コストの低減を図ることのできるシャッタ装置を提供することを目的とする。
【課題を解決するための手段】
【０００８】
上記の課題を解決するため、請求項１に係るシャッタ装置は、建物に形成された開口部の左右の両側縁に上下方向に延在して設けられた左右の連結体案内路と、前記開口部の左右の両側縁の少なくとも一方の側縁に前記連結体案内路と平行に前記建物の外側に設けられたスラット開壁と、左右対称に配置された左右のリンク部材が複数対設けられ、左右夫々の複数の前記リンク部材が、同軸の左右の連結軸で夫々連結され、前記左右の連結体案内路に上端開口部から侵入して夫々上下方向に摺動可能に案内支持される左右のリンク連結体と、対をなす左右の前記リンク部材に左右の前記連結軸と同軸の水平回動中心回りに回動可能に支持され、前記開口部を開放する開放姿勢と、上方のスラットの下端縁が下方のスラットの上端部より下方部分に外側から当接して前記開口部を閉鎖する閉鎖姿勢と、の間で回動する複数のスラットと、前記スラットに設けられ、前記スラットを前記水平回動中心の回りに回動可能に支持する左右の前記リンク部材の少なくとも一方の前記リンク部材に向かって突出し、前記スラットが前記開放姿勢となるとき、前記スラット開壁の外側表面に当接し、前記スラットが前記閉鎖姿勢となるとき、前記左右の連結体案内路の少なくとも一方に案内される突起部と、前記上端開口部の上方に隣接して設けられ、前記左右のリンク連結体および前記複数のスラットを巻き取る巻取体と、を備えた。
【発明の効果】
【０００９】
請求項１に係る発明によると、複数対設けられ左右夫々の複数のリンク部材が、同軸の左右の連結軸で夫々連結されている。スラットが回動する水平回動中心は、左右夫々のリンク部材を連結する左右の連結軸と同軸に設けられている。そして、リンク部材の連結軸と同軸で回動する上方のスラットの下端縁が、下方に隣接する下方のスラットの上端部より下方部分に外側から当接することで、内側への上方のスラットの回動を規制して閉鎖姿勢を維持することができる。さらに、上方のスラットに設けられた突起部は、連結体案内路に案内されることで、突起部が設けられた上方のスラットを閉鎖姿勢に維持することができる。
【００１０】
また、リンク部材の連結軸と同軸で回動する上方のスラットの下端縁が、下方に隣接する下方のスラットの上端部から離れる方向に上に向かって回動することで、開放姿勢を取ることができる。スラットに設けられた突起部は、スラット開壁の外側表面に当接することで、突起部が設けられたスラットを開放姿勢に維持することができる。
これにより、開放姿勢と閉鎖姿勢との間で開閉可能な極めて簡素な構造のシャッタ装置とすることができ、製造コストの低減を図ることができる。
【図面の簡単な説明】
【００１１】
【図１】本発明に係るシャッタ装置の実施形態の全体概要を示す正面図である。
【図２】図１に示すシャッタ装置の側面図である。
【図３】閉鎖姿勢であるときの回動スラットおよび常閉スラットを示す斜視図である。
【図４】開放姿勢であるときの回動スラットおよび常閉スラットを示す斜視図である。
【図５】閉鎖姿勢であるときの回動スラットおよび常閉スラットを示す正面図である。
【図６】図５におけるVI-VI断面を示す図である。
【図７】回動スラットが巻取体より剥離された状態を示す断面図である。
【図８】回動スラットが、移行領域において回動した状態を示す断面図である。
【図９】リンク部材が連結体案内路に侵入し、回動スラットの突起部がスラット開壁に当接し、回動スラットが開放姿勢となった状態を示す断面図である。
【図１０】図９におけるX-X線で破断して示す断面図である。
【図１１】回動スラットが巻取体より剥離された状態を示す断面図である。
【図１２】回動スラットが、移行領域において回動姿勢切替部材に支持されて回動が止められた状態を示す断面図である。
【図１３】回動スラットの突起部が連結体案内路に侵入する状態を示す断面図である。
【図１４】図１３におけるXIV-XIV線で破断して示す断面図である。
【図１５】スラットおよびリンク連結体が巻き取られた状態を示す概要図である。
【図１６】別例のシャッタ装置のスラットを示す斜視図である。
【発明を実施するための形態】
【００１２】
本発明に係るシャッタ装置の実施形態ついて、図に基づいて以下に説明する。本実施形態のシャッタ装置１は、建物ＳＴの開口部ＯＰに設けられ、スラット２間が開口した通気状態と、スラット２間の開口が閉じた閉鎖状態とを切替え可能なシャッタ装置１である。また、シャッタ装置１は、例えば、サッシ枠ＳＦのさらに屋外側に取り付けられ、風雨を防いだり、防犯性を向上させたりする。
【００１３】
なお、本明細書において、建物ＳＴの外側から開口部ＯＰに向かって、右側を右側或いは右といい、左側を左側或いは左というものとし、開口部ＯＰの上方を上方或いは上といい、下方を下方或いは下というものとする。開口部ＯＰに対して屋外側を外側または前側といい、屋内側を内側または後側というものとする。
【００１４】
シャッタ装置１は、図１および図２に示すように、左右の連結体案内路３Ｌ，３Ｒ、左右のスラット開壁４Ｌ，４Ｒ、左右のリンク連結体５Ｌ，５Ｒ、巻取体６、ケーシング７、およびスラット２を備えている。
【００１５】
（左右の連結体案内路・スラット開壁）
左右の連結体案内路３Ｌ，３Ｒは、開口部ＯＰの左右の両側縁ＯＰＬ，ＯＰＲに上下方向に延在し、図１および図１０に示すように、例えば、アルミニウム合金製形材から左右の縦枠３０Ｌ，３０Ｒに形成されている。なお、左右の縦枠３０Ｌ，３０Ｒは、対称形状で同様な構造であるため、本実施形態では、左側の左縦枠３０Ｌにより代表して説明する。
【００１６】
左縦枠３０Ｌは、図１０に示すように、断面矩形状に形成され、上下開口部３１と中空部３２と連結リブ３３ａ，３３ｂとを備えている。左縦枠３０Ｌの右側が開口した上下開口部３１には、左側のリンク連結体５Ｌが摺動可能に案内支持される左の連結体案内路３Ｌが形成されている。左の連結体案内路３Ｌの内側の壁には、建物ＳＴの開口部ＯＰの内側に向かって対向して二対の支持リブ３４ａ，３４ｂが突設されている。左の連結体案内路３Ｌの内壁には、左のリンク連結体５Ｌを滑らかに摺動させる図略の薄板溝状の潤滑部材が上下方向に延在して配設されている。左の連結体案内路３Ｌの左側には、隣接して前後左右の壁で囲まれた中空部３２が形成されている。中空部３２の左後側および上下開口部３１の後側には、連結リブ３３ａ，３３ｂが突設され、サッシ枠ＳＦの縦枠に連結可能に構成されている。左縦枠３０Ｌの上下開口部３１の外側右端縁は、図１０に示すように、後述する突起部材２１ｂが当接する左のスラット開壁４Ｌが上下方向に延在して形成されている。この左のスラット開壁４Ｌは、建物ＳＴの開口部ＯＰの左側縁ＯＰＬに設けられた左の連結体案内路３Ｌに平行に設けられている。右縦枠３０Ｒは、左縦枠３０Ｌと対称で同様の構造に形成されている。
【００１７】
左縦枠３０Ｌは、下端部が図略の皿板部材によって固定されている。皿板部材は、建物ＳＴの開口部ＯＰの下端に左右方向に延在する部材であり、例えばサッシ枠ＳＦの図略の皿板部材に連続して形成されている。左縦枠３０Ｌは、図７に示すように、上端部に上端開口部３５を有し、左のリンク連結体５Ｌが上端開口部３５から左の連結体案内路３Ｌに侵入する。上端開口部３５は、上端前側の内面縁に面取部３５ａが形成され左のリンク連結体５Ｌの侵入を容易にしている。なお、右縦枠３０Ｒにおいても同様に構成されている。
【００１８】
（ケーシング・巻取体）
右縦枠３０Ｒおよび左縦枠３０Ｌは、上端部が巻取体６のケーシング７に図略のブラケットおよびビスにより夫々連結されている。ケーシング７は、図１、図２および図７に示すように、断面矩形の箱状に形成され、左右方向に水平に延在する軸状の巻取体６を図略の軸受を介して回転可能に保持している。ケーシング７は、下面に所定の幅で左右に延在し下側に向かって開口する下側開口部７ａが設けられている。巻き取られた左右のリンク連結体５Ｌ，５Ｒおよび複数のスラット２が引き出される場合には、巻取体６より剥離して下側開口部７ａを介して下方に引き出され、巻取体６が巻き取り動作を実行する場合には、左右のリンク連結体５Ｌ，５Ｒおよび複数のスラット２は下側開口部７ａを介して巻き取られる。
【００１９】
ケーシング７には、図１に示すように、モータ１５が設けられている。モータ１５は、図略の減速装置を介してスラット２および左右のリンク連結体５Ｌ，５Ｒを巻取体６に巻き取る方向（正方向）、スラット２および左右のリンク連結体５Ｌ，５Ｒを巻取体６より剥離して引き出す方向（逆方向）に、正逆両方向に巻取体６を回転可能になっている。正逆回転の切替は、図略の切替スイッチにより行われ、駆動スイッチ（図略）のオン・オフによってモータ１５が駆動し、或いは駆動が停止する。
【００２０】
ケーシング７において、スラット２が剥離される位置ＨＰに対応する位置には、図７に示すように、下側開口部７ａに向かって下方に傾斜する傾斜面８ａを持つ傾斜ガイド部材８が配置されている。傾斜ガイド部材８は、例えば、硬質樹脂製部材から形成され、ケーシング７の下側開口部７ａの前側縁に沿って左右方向に延在するように配置されている。傾斜ガイド部材８は、断面略台形状に形成されている。この台形は、直角な角を一箇所に有するいわゆる直角台形であり、断面台形状の対向する平行辺部分が垂直方向に延在するよう配置されている。傾斜ガイド部材８は、台形状の斜辺に当たる部分が外側から内側にかけて下方に向かって傾斜する傾斜面８ａを形成している。その傾斜面８ａは、巻取体６の円周下部に対応して沿うように配置され、傾斜面８ａの表面には浅い凹曲面が形成されている。傾斜ガイド部材８は、傾斜面８ａと一つの平行辺部分とが形成する鋭角の頂部が丸められてＲ部８ｂが形成されている。ケーシング７の内側の左右端部において、傾斜ガイド部材８の両端部において後側に隣接する位置には、図１１および図１４に示すように（図１４は、左縦枠３０Ｌで示している。）、夫々回動姿勢切替部材９が設けられている。
【００２１】
（回動姿勢切替部材）
回動姿勢切替部材９が設けられる位置は、左右のリンク連結体５Ｌ，５Ｒが巻取体６から剥離される位置ＨＰと左右の連結体案内路３Ｌ，３Ｒの上端開口部３５との間にある移行領域７Ｂに設けられている。回動姿勢切替部材９は、図１１および図１４に示すように、例えば、硬質樹脂製部材から突起部材２１ｂ（後述）よりも少し長い幅で、断面略直角三角形状に形成されている。回動姿勢切替部材９は、傾斜ガイド部材８の傾斜面８ａの内側下方端部に隣接して頂部９ａが設けられている。回動姿勢切替部材９は、外側の頂部９ａから上端開口部３５に向かって傾斜する第一傾斜面９ｂと、第一傾斜面９ｂに連続し第一傾斜面９ｂより傾斜角度が大きい第二傾斜面９ｃとを有している。第二傾斜面９ｃの内側下方端部は、上端開口部３５の外側開口端縁に隣接している。第二傾斜面９ｃの傾斜角度を第一傾斜面９ｂより大きくすることで、侵入させる際に左右のリンク連結体５Ｌ，５Ｒの傾きを増加させて、垂直に延在する連結体案内路３Ｌ，３Ｒへの侵入を容易にしている。回動姿勢切替部材９は、例えば、図１４に示すように、駆動装置としての電磁式アクチュエータ９ｄによって、左右の縦枠３０Ｌ，３０Ｒのスラット開壁４Ｌ，４Ｒに沿って左右方向に移動可能に設けられている。回動姿勢切替部材９は、左縦枠３０Ｌにおいて右側（右縦枠３０Ｒにおいて左側）に移動した場合に、移行領域７Ｂに位置する作動位置ＡＡに位置決めされ（図１４参照）、左縦枠３０Ｌにおいて左側（右縦枠３０Ｒにおいて右側）に移動した場合に、移行領域７Ｂから退避した退避位置ＤＡに位置決めされる（図１０参照）。電磁式アクチュエータ９ｄの作動および作動方向の切替は、図略の作動スイッチによって行われる。
回動姿勢切替部材９が作動位置ＡＡにある場合において、左右のリンク部材１１Ｌ，１１Ｒが、上端開口部３５より左右の連結体案内路３Ｌ，３Ｒに侵入するときに、回動スラット２１は、傾斜ガイド部材８の傾斜面８ａから外れる。しかし、回動スラット２１の後述する突起部材２１ｂが回動姿勢切替部材９の第一傾斜面９ｂおよび第二傾斜面９ｃに接触する。そのため、左右のリンク部材１１Ｌ，１１Ｒに支持された回動スラット２１は、閉鎖姿勢を維持し、突起部材２１ｂは、回動姿勢切替部材９により、上端開口部３５から連結体案内路３Ｌ，３Ｒに案内される。そして、回動スラット２１は、突起部材２１ｂを少なくとも一方のリンク部材１１Ｌの収納凹溝１１ｄおよび連結体案内路３Ｌの外側内面３ａに当接させて、閉鎖姿勢を維持する。
回動姿勢切替部材９が退避位置ＤＡにある場合において、左右のリンク部材１１Ｌ，１１Ｒが、上端開口部３５より左右の連結体案内路３Ｌ，３Ｒに侵入するときに、回動スラット２１は、傾斜ガイド部材８の傾斜面８ａから外れる。そして、回動スラット２１は、重心Ｇを下方に位置するように回動して開放姿勢となる。次に、回動スラット２１は、突起部材２１ｂをスラット開壁４Ｌの外側表面４ａに当接させて開放姿勢を維持する。
【００２２】
（スラット・リンク連結体）
スラット２は、例えば、アルミニウム合金製形材から形成され、左右方向に延在する長い板状部材である。上下の幅方向において屋外側中央部が凸となるよう少し湾曲させて形成されている。スラット２は、図３および図４に示すように、別体のリンク部材１１（後述）が両端部に設けられ、回動可能な回動スラット２１と、常に閉鎖姿勢をとる常閉スラット２２とを備えている。両側に対に設けられた左右の常閉リンク部（左右リンク部材）２２ａが、その間に延在する常閉スラット２２により互いに一体的に連結されている。左右のリンク部材１１Ｌ，１１Ｒと左右の常閉リンク部２２ａとは、後述する上部連結軸１３ｕおよび下部連結軸１３ｄにより、鎖状に連結されて左右のリンク連結体５Ｌ，５Ｒが構成される（図５および図６参照）。左右のリンク連結体５Ｌ，５Ｒは、左右の連結体案内路３Ｌ，３Ｒに上端開口部３５から侵入して、夫々上下方向に摺動可能に案内支持される（図７参照）。
【００２３】
（回動スラット）
回動スラット２１は、図３、図４および図５に示すように、回動スラット本体部２１ａと、回動スラット本体部２１ａの両端に固定され左のリンク部材１１Ｌに向かって突出する突起部としての突起部材２１ｂとを備えている。回動スラット本体部２１ａの上端部には、図７に示すように、左右方向に延在する第一上部係合フック部２１ｃが形成されている。第一上部係合フック部２１ｃは、外側が開放し先端から所定の幅で丸く湾曲して断面鈎状に形成されている。第一上部係合フック部２１ｃは、湾曲した断面鈎状の外周部の上端に先端突部２１ｄが形成されている。回動スラット２１の下端には、左右方向に延在し屋内側へ突出する第一下端リブ２１ｅが設けられている。この第一下端リブ２１ｅは、下方に隣接する常閉スラット２２の上端部との隙間を埋め、回動スラット２１の重量バランスと回動スラット２１の剛性を向上させる。回動スラット２１の上端より幅方向に三分の一位の位置に、タッピングねじ孔２１ｆが設けられている。このタッピングねじ孔２１ｆは、左右方向に延在し、突起部材２１ｂをねじ止めする役割に加えて、回動スラット２１が薄い板状の部材で形成されている場合には、回動スラット２１の剛性を向上させる役割を兼ねている。回動スラット２１の重心Ｇは、回動スラット２１の幅方向の略中央部に位置している。回動スラット２１が第一上部係合フック部２１ｃで常閉スラット２２の後述の第二下部係合フック部２２ｅに係合した際に、回動スラット２１が自由状態（回動スラット２１の下端縁２１ｇがいずれにも接触していない状態）にあるとき、回動スラット２１は、第一上部係合フック部２１ｃが係合した第二下部係合フック部２２ｅより垂下されて略垂直位置に位置決めされる。回動スラット２１は、略垂直位置に位置決めされることで、開放姿勢をとるための方向付けがなされる。
【００２４】
回動スラット２１の下端縁２１ｇは、後述する閉鎖姿勢を取った際に、下方に隣接する常閉スラット２２の上端部である先端突起２２ｄより下方部分となる第二上部係合フック部２２ｃの係合端縁２２ｃ１に外側から当接するように構成されている（図１１および図１２参照）。回動スラット２１の下端部と常閉スラット２２の上端部とが、互いに嵌合しなくとも、常閉スラット２２の第二上部係合フック部２２ｃに回動スラット２１の下端縁２１ｇが当接して重なることで、回動スラット２１の内側への回動を規制して外側からの押圧力に対して強い抵抗力を回動スラット２１に生じさせる。
【００２５】
突起部材（突起部）２１ｂは、図３および図４に示すように、例えば、硬質樹脂製部材から形成され、回動スラット２１の端部の一部を覆う被覆部２１ｂ１と、被覆部２１ｂ１から左のリンク部材１１Ｌに向かって突出する円筒状の円筒部２１ｂ２とを備えている（図３、図４および図５においては、回動スラット２１の左側端部を表示している。）。円筒部２１ｂ２は、左のリンク部材１１Ｌ側に開口２１ｂ３を有するとともに、円筒部２１ｂ２の底部には、タッピングねじ孔２１ｆ（図７参照）に同軸で、左のリンク部材１１Ｌ側の開口２１ｂ３より小径の貫通孔（図略）が設けられている。回動スラット２１の右側端部においても、右のリンク部材１１Ｒに向かって突出する突起部材２１ｂが同様に設けられている。
突起部材２１ｂは、円筒部２１ｂ２の開口２１ｂ３より挿入され貫通孔を貫通したタッピングねじ（図略）により、回動スラット２１の両端部に固定される。なお、左右の連結体案内路３Ｌ，３Ｒには、回動スラット２１の両端部は係合することなく、突起部材２１ｂが左右のリンク部材１１Ｌ，１１Ｒとともに連結体案内路３Ｌ，３Ｒに案内されて上下に摺動する。回動スラット２１が後述する開放姿勢をとるとき、突起部材２１ｂは、図９および図１０に示すように、円筒部２１ｂ２がスラット開壁４Ｌ，４Ｒの外側表面４ａに当接する。回動スラット２１が後述する閉鎖姿勢をとるとき、図１３および図１４に示すように、後述するリンク部材１１とともに左右の連結体案内路３Ｌ，３Ｒに侵入し、リンク部材１１の外側表面（収納凹溝１１ｄの内壁面１１ｄ１）および左右の連結体案内路３Ｌ，３Ｒの外側内面３ａ（図略の潤滑部材の表面）に当接する。
【００２６】
（リンク部材）
リンク部材１１は、左右対称に対をなす左リンク部材１１Ｌ、右リンク部材１１Ｒを有している。図３、図４および図６に示すように、左のリンク部材１１Ｌは、回動スラット２１の左端に左の縦枠３０Ｌ側に配置されている。なお、回動スラット２１の右端においても、同様に右のリンク部材１１Ｒが配置されている。回動スラット２１は、後述する常閉スラット２２を介して左右のリンク部材１１Ｌ，１１Ｒによって間接的に支持されている。左右のリンク部材１１Ｌ，１１Ｒは、例えば、アルミニウム合金製形材から形成された板状部材である。リンク部材１１の上端部には、夫々左右方向に延在する上部係合リンクフック部１１ａが形成され、上部係合リンクフック部１１ａは、回動スラット２１の第一上部係合フック部２１ｃと同断面形状である。上部係合リンクフック部１１ａは、湾曲した断面鈎状の外周部の上端に先端突起１１ｅが形成されている。左右のリンク部材１１Ｌ，１１Ｒの下端部には、左右方向に延在する下部係合リンクフック部１１ｂが形成されている。下部係合リンクフック部１１ｂは、屋内側が開放し先端から所定の幅で丸く湾曲して断面鈎状に形成されている。下部係合リンクフック部１１ｂは、湾曲した断面鈎状の先端部１１ｆが丸太状に丸く形成されている。下部係合リンクフック部１１ｂの断面鈎状の鈎状部の上方に隣接して、左右方向に延在し屋内側に突出する下端リンクリブ１１ｃが形成されている。下端リンクリブ１１ｃは、常閉スラット２２の常閉リンク部２２ａの第二上部係合フック部２２ｃ（後述）が係合した際に、上下方向に圧縮する力が生じた場合に常閉スラット２２の先端突起２２ｄ（後述）に当接して左右のリンク部材１１Ｌ，１１Ｒと常閉スラット２２に一体である常閉リンク部２２ａと間の係合の離脱を防止する。リンク部材１１の上下幅方向の上端より三分の一位の位置に、屋外側から見て溝状に凹んだ収納凹溝１１ｄが左右方向に延在するように設けられている。収納凹溝１１ｄは、回動スラット２１がリンク部材１１と同一面で位置（閉鎖姿勢）するときに、突起部材２１ｂをリンク部材１１の一番屋外側の外側面から突出することなく収納する。
【００２７】
（常閉スラット）
常閉スラット２２は、対をなす左右の常閉リンク部２２ａの間に延在し、左右の常閉リンク部２２ａを一体的に連結している。また、常閉スラット２２および常閉リンク部２２ａは、図３および図４に示すように、回動スラット２１両側に配置される左右のリンク部材１１Ｌ，１１Ｒと断面同形状の形材で形成されている。常閉スラット２２は、図６に示すように、上部係合リンクフック部１１ａと同形状の第二上部係合フック部２２ｃを備え、先端突起２２ｄを備えている。常閉リンク部２２ａは、上部係合リンクフック部１１ａと同形状の常閉上部リンクフック部２２ａｃを備え、先端突起２２ａｄを備えている。また、常閉スラット２２は、下部係合リンクフック部１１ｂと同形状の第二下部係合フック部２２ｅ、収納凹溝１１ｄと同形状の第二収納凹溝２２ｆ、下端リンクリブ１１ｃと同形状の第二下端リブ２２ｇを備えている。常閉リンク部２２ａは、下部係合リンクフック部１１ｂと同形状の常閉下部リンクフック部２２ａｅ、収納凹溝１１ｄと同形状の常閉収納凹溝２２ａｆ、下端リンクリブ１１ｃと同形状の常閉下端リブ２２ａｇを備えている。リンク部材１１と常閉スラット２２および常閉リンク部２２ａとを同じ形材で製作することで、製造金型、部品点数などを減らし、製造コストの低減を図ることができる。
【００２８】
常閉スラット２２は、回動スラット２１に平行して左右方向に延在し、両端部に一体に設けられた左右の常閉リンク部２２ａが、対応する左右の連結体案内路３Ｌ，３Ｒに夫々案内される。
【００２９】
常閉スラット２２の第二下部係合フック部２２ｅは、図７および図８に示すように、下方に隣接する回動スラット２１の第一上部係合フック部２１ｃに回動可能に係合している。これらの常閉スラット２２の第二下部係合フック部２２ｅと、回動スラット２１の第一上部係合フック部２１ｃとにより、回動連結軸１２が構成される。この回動スラット２１の上端部に設けられた回動連結軸１２の回動中心は、水平回動中心ＨＣとなっている。
常閉スラット２２の下方に隣接する回動スラット２１の両側に配された左右のリンク部材１１Ｌ，１１Ｒの上部係合リンクフック部１１ａは、回動スラット２１の上方の隣接する常閉スラット２２の常閉リンク部２２ａの常閉下部リンクフック部２２ａｅに回動可能に係合している。
これによって、左右のリンク部材１１Ｌ，１１Ｒは、その間に隣接する回動スラット２１を、上方に隣接する常閉リンク部２２ａおよび常閉スラット２２を介して間接的に支持している。また、左右のリンク部材１１Ｌ，１１Ｒの下部係合リンクフック部１１ｂは、下方に隣接する常閉リンク部２２ａの常閉上部リンクフック部２２ａｃに係合する。これにより、左右のリンク部材１１Ｌ，１１Ｒは、上方に隣接する常閉スラット２２と下方に隣接する常閉スラット２２との間を所定の間隔に保持する。
常閉リンク部２２ａの常閉下部リンクフック部２２ａｅと、常閉リンク部２２ａの下方に隣接するリンク部材１１の上部係合リンクフック部１１ａとは、回動可能に係合し、連結軸としての上部連結軸１３ｕを構成する。
常閉リンク部２２ａの常閉上部リンクフック部２２ａｃと常閉リンク部２２ａの上方に隣接するリンク部材１１の下部係合リンクフック部１１ｂとは、回動可能に係合し、下部連結軸１３ｄを構成する。回動スラット２１の左右両側に設けられた左右のリンク部材１１Ｌ，１１Ｒの上部連結軸１３ｕと、その回動スラット２１の回動中心となる回動連結軸１２とは、水平回動中心ＨＣに一致して同軸に設けられている。
【００３０】
本実施形態のシャッタ装置１の複数のスラット２は、回動スラット２１と、常閉スラット２２とが上下方向に交互に設けられている。例えば、連結された複数のスラット２の下端部には常閉スラット２２が設けられ、常閉スラット２２の下端部には、左右方向に延在する座板（図略）が設けられ、皿板部材（図略）の上面に当接する。座板には、皿板部材との間をロックするロック機構（図略）が設けられている。
【００３１】
（シャッタ装置の作動）
次に、シャッタ装置１の作動について、回動スラット２１が開放姿勢をとるときと、回動スラット２１が閉鎖姿勢をとるときとに分けて以下に説明する。なお、図７および図１１における図面上は、左縦枠３０Ｌ、左のリンク部材１１Ｌ、左の連結体案内路３Ｌ、左のリンク連結体５Ｌなどの左側についてのみ示しているが、右縦枠３０Ｒ、右のリンク部材１１Ｒ、左の連結体案内路３Ｌ、左のリンク連結体５Ｌにおいても同様に作動している。そのため、説明においては、左右両側において作動しているものとして説明する。
【００３２】
まず、スラット２および左右のリンク連結体５Ｌ，５Ｒは、巻取体６に巻き取られた状態となっている。スラット２の下端部に設けられた座板（図略）が、ケーシング７の下端部に位置決めされている。左右のリンク連結体５Ｌ，５Ｒの下端部は、左右の連結体案内路３Ｌ，３Ｒの上端部に案内された状態で係止している。
【００３３】
回動スラット２１が開放姿勢にしてシャッタ装置１を閉じるとき、使用者は、まず、作動スイッチを切替えて、電磁式アクチュエータ９ｄを作動させ回動姿勢切替部材９を、退避位置ＤＡに位置決めする（図１０参照）。
【００３４】
次に、使用者は、切替スイッチを、スラット２および左右のリンク連結体５Ｌ，５Ｒを巻取体６から引き出す逆回転モードに切替える。そして、駆動スイッチをオンにして、巻取体６を逆方向に回転させる。
【００３５】
その際、座板は、所定の重量を有し、複数のスラット２および左右のリンク連結体５Ｌ，５Ｒを、その重量によって下方に引き下げる。左右のリンク連結体５Ｌ，５Ｒは、左右の連結体案内路３Ｌ，３Ｒ内を摺動しながら下降する。左右のリンク連結体５Ｌ，５Ｒが左右の連結体案内路３Ｌ，３Ｒ内を摺動しながら下降するのに伴って、左右のリンク連結体５Ｌ，５Ｒおよび複数のスラット２は、図７に示すように巻取体６より剥離されていく。
【００３６】
巻取体６より剥離される位置ＨＰに対して、左右の連結体案内路３Ｌ，３Ｒの上端開口部３５が設けられた位置は、剥離される位置ＨＰより後側に向かって下方に傾斜した位置に設けられている。そのため、左右のリンク連結体５Ｌ，５Ｒは、剥離される位置ＨＰから上端開口部３５に向かって傾斜した状態で移動する。この際、回動スラット２１は、下端がどこにも連結されていないので、重力によって、第一上部係合フック部２１ｃの鈎状曲面の円弧中心（水平回動中心ＨＣ）を中心に、図７において時計回りに回動する。回動スラット２１は、巻取体６に巻回されているときは、回動スラット２１の両端部に配置された左右のリンク部材１１Ｌ，１１Ｒと左右方向に重なった状態（同一面に位置した状態）で回転移動する。しかし、回動スラット２１は、巻取体６から剥離した際に、重心Ｇに働く重力によって、左右のリンク部材１１Ｌ，１１Ｒに対して回動する。回動スラット２１の下端（下端縁２１ｇ）は、傾斜ガイド部材８の傾斜面８ａに当接し、スムーズに上端開口部３５に向かって移動する。
【００３７】
次に、回動スラット２１は、図８に示すように、傾斜ガイド部材８の傾斜面８ａから外れ、回動姿勢切替部材９が退避位置ＤＡ（図１０参照）にあるため、さらに大きく（図８において時計回りに）回動する。傾斜面８ａを通過して上端開口部３５までは、移行領域７Ｂであり、回動スラット２１は、移行領域７Ｂでの回動姿勢によって、開放姿勢か閉鎖姿勢かが定められる。回動スラット２１に対応する左右のリンク部材１１Ｌ，１１Ｒは、下端部が左右の連結体案内路３Ｌ，３Ｒの上端開口部３５に侵入を開始する。
【００３８】
さらに、左右のリンク部材１１Ｌ，１１Ｒが左右の連結体案内路３Ｌ，３Ｒに案内されると、図９および図１０に示すように、回動スラット２１は、突起部材２１ｂがスラット開壁４Ｌ，４Ｒの建物ＳＴの外側表面４ａに当接し、回動スラット２１をさらに回動させて開放姿勢が維持される。
【００３９】
そして、左右のリンク部材１１Ｌ，１１Ｒが左右の連結体案内路３Ｌ，３Ｒを下方に案内されると、回動スラット２１は、常閉スラット２２の第二下部係合フック部２２ｅに係合された上端の第一上部係合フック部２１ｃと、スラット開壁４Ｌ，４Ｒに当接した突起部材２１ｂとに支持されて、開放姿勢を維持した状態で、左右の縦枠３０Ｌ，３０Ｒに沿って下降する。座板の下端部が皿板部材に当接段階で、例えば、モータ１５の負荷の変化に伴う電流変化によって、駆動スイッチがオフとされて、巻取体６の逆回転方向の駆動が停止する。
【００４０】
回動スラット２１が閉鎖姿勢にしてシャッタ装置１を閉じるとき、使用者は、まず、作動スイッチを切替えて、電磁式アクチュエータ９ｄを作動させて回動姿勢切替部材９を、作動位置ＡＡに位置決めする（図１４参照）。次に、切替スイッチを巻取体６からスラット２および左右のリンク連結体５Ｌ，５Ｒを引き出す逆回転モードに切替える。そして、駆動スイッチをオンにして、巻取体６を逆方向に回転させる。
【００４１】
その際、座板は、所定の重量を有し、複数のスラット２および左右のリンク連結体５Ｌ，５Ｒを、その重量によって下方に引き下げる。左右のリンク連結体５Ｌ，５Ｒは、左右の連結体案内路３Ｌ，３Ｒ内を摺動しながら下降する。左右のリンク連結体５Ｌ，５Ｒが左右の連結体案内路３Ｌ，３Ｒ内を摺動しながら下降するのに伴って、左右のリンク連結体５Ｌ，５Ｒおよび複数のスラット２は、図１１に示すように巻取体６より剥離されていく。
【００４２】
巻取体６より剥離される位置ＨＰに対して、左右の連結体案内路３Ｌ，３Ｒの上端開口部３５が設けられた位置は、剥離される位置ＨＰより後側に向かって下方に傾斜した位置に設けられているという位置関係にある。そのため、左右のリンク連結体５Ｌ，５Ｒは、剥離される位置ＨＰから上端開口部３５に向かって傾斜した状態で移動する。この際、回動スラット２１は、下端部がどこにも連結されていないので、重力によって、第一上部係合フック部２１ｃの鈎状曲面の円弧中心（水平回動中心ＨＣ）を中心に、図１１において時計回りに少し回動する。
【００４３】
次に、回動スラット２１は、図１２に示すように、傾斜ガイド部材８の傾斜面８ａから外れる。この場合、回動姿勢切替部材９が作動位置ＡＡにあるため、回動スラット２１の突起部材２１ｂが回動姿勢切替部材９の第一傾斜面９ｂおよび第二傾斜面９ｃに接触し、回動スラット２１は、対応する左右のリンク部材１１Ｌ，１１Ｒと重なった（同一面に位置した）閉鎖姿勢に戻る。そして、回動スラット２１に対応する左右のリンク部材１１Ｌ，１１Ｒは、下端部が左右の連結体案内路３Ｌ，３Ｒの上端開口部３５に侵入を開始する。
【００４４】
さらに、左右のリンク部材１１Ｌ，１１Ｒが左右の連結体案内路３Ｌ，３Ｒに案内されると、図１３に示すように、回動スラット２１は、突起部材２１ｂが左右の連結体案内路３Ｌ，３Ｒに案内される。さらに、突起部材２１ｂが左右のリンク部材１１Ｌ，１１Ｒとともに左右の連結体案内路３Ｌ，３Ｒを下方に案内され、突起部材２１ｂは、リンク部材の外側表面（収納凹溝１１ｄの内壁面１１ｄ１）と連結体案内路の外側内面３ａとに当接する。回動スラット２１は、左右のリンク部材１１Ｌ，１１Ｒと左右方向に重なった（同一面に位置した）閉鎖姿勢となる。後は、開放姿勢となった場合と同様である。
【００４５】
スラット２および左右のリンク連結体５Ｌ，５Ｒが、巻取体６に巻き取られる場合、使用者は、切替スイッチを巻取体６が正回転するように正回転モードに切替える。使用者は、駆動スイッチをオンにしてモータ１５を駆動させる。図１５に示すように、リンク部材１１の先端は、巻取体６の外周の一部に設けられた係止部６ａに係止され、巻取体６の正回転（図１５において時計回りの回転）によって順次巻き取られる。閉鎖姿勢、開放姿勢のいずれかにあった回動スラット２１は、移行領域７Ｂにおいて回動し、回動スラット２１と、左右のリンク部材１１Ｌ，１１Ｒとが同一面に位置するように、巻き取られる。その際、回動スラット２１の突起部材２１ｂは、左右のリンク部材１１Ｌ，１１Ｒの収納凹溝１１ｄに収納される。そのため、スラット２および左右のリンク部材１１Ｌ，１１Ｒの巻取り径ＭＲをコンパクトに設定することができ、ケーシング７の大きさもコンパクトに設定することができる。
【００４６】
上記の記載で明らかなように、本実施形態におけるシャッタ装置１は、左右の連結体案内路３Ｌ，３Ｒと、スラット開壁４Ｌ，４Ｒと、左右のリンク連結体５Ｌ，５Ｒと、複数のスラット２と、突起部材２１ｂと、巻取体６と、回動姿勢切替部材９とを備えている。
左右の連結体案内路３Ｌ，３Ｒは、建物ＳＴに形成された開口部ＯＰの左右の両側縁ＯＰＬ，ＯＰＲに上下方向に延在して設けられている。スラット開壁４Ｌ，４Ｒは、開口部ＯＰの左右の両側縁ＯＰＬ，ＯＰＲの少なくとも一方の側縁に連結体案内路３Ｌ，３Ｒと平行に建物ＳＴの外側に設けられている。左右のリンク連結体５Ｌ，５Ｒは、左右対称に配置された左右のリンク部材１１Ｌ，１１Ｒが、複数対設けられ、左右夫々の複数のリンク部材１１Ｌ，１１Ｒが、同軸の左右の上部連結軸１３ｕおよび下部連結軸１３ｄで連結され、左右の連結体案内路３Ｌ，３Ｒに上端開口部３５から侵入して夫々上下方向に摺動可能に案内支持される。
【００４７】
複数のスラット２（回動スラット２１）は、対をなす左右のリンク部材１１Ｌ，１１Ｒに左右の上部連結軸１３ｕと同軸の水平回動中心ＨＣ回りに回動可能に回動連結軸１２で支持され、開口部ＯＰを開放する開放姿勢と、上方の回動スラット２１の下端縁２１ｇが下方の常閉スラット２２の第二上部係合フック部２２ｃの上端部よりも下方部分に外側から当接して開口部ＯＰを閉鎖する閉鎖姿勢と、の間で回動する。突起部材２１ｂは、回動スラット２１に設けられ、回動スラット２１を水平回動中心ＨＣ回りに回動可能に支持する左右のリンク部材１１Ｌ，１１Ｒの少なくとも一方のリンク部材１１Ｌに向かって突出し、回動スラット２１が開放姿勢となるとき、少なくとも一方のスラット開壁４Ｌの外側表面４ａに当接し、回動スラット２１が閉鎖姿勢となるとき、左右の連結体案内路３Ｌ，３Ｒの少なくとも一方（左の連結体案内路３Ｌ）に案内される。巻取体６は、開口部ＯＰに上端開口部３５の上方に隣接して設けられ、左右のリンク連結体５Ｌ，５Ｒおよび複数のスラット２を巻き取る。
【００４８】
これによると、複数対設けられ左右夫々の複数のリンク部材１１Ｌ，１１Ｒが、同軸の左右の上部連結軸１３ｕおよび下部連結軸１３ｄで夫々連結されている。回動スラット２１が回動する水平回動中心ＨＣは、左右夫々のリンク部材１１Ｌ，１１Ｒを連結する左右の上部連結軸１３ｕと同軸に設けられている。そして、左右のリンク部材１１Ｌ，１１Ｒの上部連結軸１３ｕと同軸で回動する上方の回動スラット２１の下端縁２１ｇが、下方に隣接する下方の常閉スラット２２の上端部である先端突起２２ｄの下方部分である第二上部係合フック部２２ｃの係合端縁２２ｃ１に外側から当接することで、内側への上方の回動スラット２１の回動を規制して閉鎖姿勢を強固に維持することができる。さらに、上方の回動スラット２１に設けられた突起部材２１ｂは、左右の連結体案内路３Ｌ，３Ｒに案内されることで、突起部材２１ｂが設けられた上方の回動スラット２１を閉鎖姿勢に維持することができる。
【００４９】
また、左右のリンク部材１１Ｌ，１１Ｒの上部連結軸１３ｕと同軸で回動する上方の回動スラット２１の下端縁２１ｇが、下方に隣接する下方の常閉スラット２２の第二上部係合フック部２２ｃ（上端部）から離れる方向に上に向かって回動することで、開放姿勢を取ることができる。回動スラット２１に設けられた突起部材２１ｂは、スラット開壁４Ｌの外側表面４ａに当接することで、突起部材２１ｂが設けられた回動スラット２１を開放姿勢に維持することができる。
これにより、開放姿勢と閉鎖姿勢との間で開閉可能であり、極めて簡素な構造で製造コストの低減を図ることのできるシャッタ装置１とすることができることができる。
【００５０】
また、シャッタ装置１において、回動スラット２１を回動可能に支持、常に閉鎖状態である常閉スラット２２をさらに備え、少なくとも一対の対をなす左右の常閉リンク部２２ａが互いに常閉スラット２２を介して一体的に連結される。
これによると、常閉スラット２２は、左右の常閉リンク部２２ａと一体に形成されている。回動スラット２１は、常閉スラット２２に連結された水平回動中心ＨＣ回りに回動可能に支持される。そのため、回動スラット２１は、左右の常閉リンク部２２ａと一体に形成された常閉スラット２２に支持されるので、剛性を高めることができる。
【００５１】
また、シャッタ装置１において、少なくとも一方のリンク部材１１Ｌは、突起部材２１ｂが収納される収納凹溝１１ｄが設けられ、リンク部材１１Ｌと突起部材２１ｂが突設された回動スラット２１とが同一面に位置可能に構成されている。
これによると、突起部材２１ｂが突設された回動スラット２１とリンク部材１１Ｌとが、同一面に位置されるとき、突起部材２１ｂは、リンク部材１１Ｌの収納凹溝１１ｄに収納される。そのため、巻取体６に複数のスラット２および左右のリンク連結体５Ｌ，５Ｒが巻き取られるときに、突起部材２１ｂは、リンク部材１１Ｌの収納凹溝１１ｄに収納された状態で巻き取られる。これによって、スラット２および左右のリンク連結体５Ｌ，５Ｒは、きれいかつコンパクトに巻き取ることができるので、巻取体６のケーシング７をコンパクトに形成することができる。
【００５２】
また、左右のリンク部材１１Ｌ，１１Ｒのいずれか（左のリンク部材１１Ｌ）と突起部材２１ｂとが左の連結体案内路３Ｌに案内されるときに、突起部材２１ｂは、リンク部材１１Ｌの収納凹溝１１ｄに収納された状態で案内される。そのため、突起部材２１ｂとリンク部材１１Ｌとは、前後方向の幅を嵩張らせることなく狭い状態で案内され、左の連結体案内路３Ｌの前後方向の幅も小さく形成することができる。
このように、巻取体６のケーシング７および連結体案内路３Ｌをコンパクトに形成することができ、製造コストの低減を図ることができる。
【００５３】
なお、本実施形態において、駆動装置をソレノイドを有する電磁式アクチュエータとしたが、これに限定されず、例えば、油圧式アクチュエータでもよい。また、突起部を硬質樹脂製部材から形成された突起部材２１ｂとしたが、これに限定されず、例えば、ステンレス鋼などの金属製でもよく、回動スラットと一体に形成されるものでもよい。
【００５４】
また、突起部材２１ｂを回動スラット２１の両側に設けたが、これに限定されず、例えば、回動スラットの両端部の一方の端部にのみ設けてもよい。
【００５５】
また、巻取体６をモータ１５で回転させることで、スラット２および左右のリンク連結体５Ｌ，５Ｒの巻取りを行うものとしたが、これに限定されず、例えば、人による手動式の巻取体でもよい。
【００５６】
また、リンク部材１１、回動スラット２１、常閉スラット２２をアルミニウム合金製形材から形成されたものとしたが、これに限定されず、例えば、硬質樹脂製部材、ステンレス鋼製部材などであってもよい。
【００５７】
また、回動スラット２１と常閉スラット２２とを、一つ置きに構成したが、これに限定されず、例えば、図１６に示すように、全てが回動スラット１２１で構成してもよい。この別例におけるシャッタ装置１０１は、左のリンク部材１１１と右のリンク部材（図略）の下部同士を連絡する支持棒材１１１ｃとが一体に形成されている。
左のリンク部材１１１の上端部の上部係合リンクフック部１１１ａは、シャッタ装置１における左右のリンク部材１１Ｌ，１１Ｒの上部係合リンクフック部１１ａと同様の形状に形成されている。左右のリンク部材１１１の下端部の下部係合リンクフック部１１１ｂは、シャッタ装置１における左右のリンク部材１１Ｌ，１１Ｒの下部係合リンクフック部１１ｂと同様の形状に形成されている。
上下方向に隣接する左のリンク部材１１１Ｌにおいて、上方の左のリンク部材１１１Ｌにおける下部係合リンクフック部１１１ｂと、下方の左のリンク部材１１１Ｌの上部係合リンクフック部１１１ａとは、回動可能に係合し、連結軸としての上部連結軸１１３ｕを構成する。図示しない右のリンク部材は、左のリンク部材１１１Ｌと対称に設けられ、同様に形成されている。
支持棒材１１１ｃは、断面が下部係合リンクフック部１１ｂと同様の形状であり、回動スラット１２１の第一上部係合フック部２１ｃに回動可能に係合する。本別例では、左右のリンク部材１１１、支持棒材１１１ｃは、例えば、ステンレス鋼製部材から形成されている。
【００５８】
本発明は、上記しかつ図面に示した実施形態のみに限定されるものではなく、要旨を逸脱しない範囲内で適宜変更して実施できる。
【符号の説明】
【００５９】
１…シャッタ装置、２…スラット、２１…回動スラット、２１ｂ…突起部材（突起部）、２１ｇ…下端縁、２２…常閉スラット、２２ａ…常閉リンク部（リンク部材）、２２ｃ…第二上部係合フック部（上端部）、３Ｌ，３Ｒ…左右の連結体案内路、４Ｌ，４Ｒ…スラット開壁、５Ｌ，５Ｒ…左右のリンク連結体、６…巻取体、７Ｂ…移行領域、９…回動姿勢切替部材、９ｄ…電磁式アクチュエータ（駆動装置）、１１…リンク部材、１１Ｌ，１１Ｒ…左右のリンク部材、１１ｄ…収納凹溝、１１ｄ１…収納凹溝の内壁面（外側表面）、１３ｕ…上部連結軸（連結軸）、１０１…シャッタ装置、１１１…左右のリンク部材、１１３ｕ…上部連結軸（連結軸）、１２１…回動スラット、ＡＡ…作動位置、ＤＡ…退避位置、ＨＣ…水平回動中心、ＨＰ…剥離される位置、ＯＰ…開口部、ＯＰＬ，ＯＰＲ…両側縁、ＳＴ…建物。
【図１】
2018031246.tif 000003
【図２】
2018031246.tif 000004
【図３】
2018031246.tif 000005
【図４】
2018031246.tif 000006
【図５】
2018031246.tif 000007
【図６】
2018031246.tif 000008
【図７】
2018031246.tif 000009
【図８】
2018031246.tif 000010
【図９】
2018031246.tif 000011
【図１０】
2018031246.tif 000012
【図１１】
2018031246.tif 000013
【図１２】
2018031246.tif 000014
【図１３】
2018031246.tif 000015
【図１４】
2018031246.tif 000016
【図１５】
2018031246.tif 000017
【図１６】
2018031246.tif 000018